(57)【特許請求の範囲】
【請求項１】
容器本体の口筒部に螺着される合成樹脂製の封緘付きネジキャップの成形金型であって、
ネジキャップは、キャップ本体と、キャップ本体の下端に連設され、リング状に形成された封緘リングとからなり、
キャップ本体は、頂壁と、外周壁とからなり、
封緘リングは、所定のスリットを設けた帯体と、帯体の端部間のスリット側面の内側を連設する破断可能な弱化部とからなり、
帯体の外周の両端部の近傍には、それぞれ凹部または凸部からなる切断防止部を有し、
帯体の内周下部には、閉蓋時に容器本体の口筒部外周下部と係合する複数の係止爪片を有し、
キャップ本体の外周壁の下面と封緘リングの上面とは、破断可能な弱化片を有し、
成形金型は、ネジキャップの外周を成形するキャビティと、ネジキャップの内周を成形するコアとを具え、
成形金型のキャビティは、内方面に、封緘リングの切断防止部を形成するそれぞれ凸部または凹部からなる成形部を有することを特徴とする封緘付きネジキャップの成形金型。
【請求項２】
成形金型のキャビティは、キャップ本体の外周を成形する上部キャビティと、キャップ本体の外周下端部と封緘リングの外周およびキャップ本体と封緘リングとの間を成形する左右に開閉可能な中部スライドキャビティと、封緘リングの下面を形成する下部キャビティとからなり、
中部スライドキャビティの下部には、封緘リングの帯体を形成する部分の切断防止部の近傍に凹設された係合凹部を有し、
下部キャビティの上面には、中部スライドキャビティの係合凹部に係合する係合凸部を有し、
係合凸部の内方面は、封緘リングの帯体の切断防止部を形成する成形部を有することを特徴とする請求項１記載の封緘付きネジキャップの成形金型。
【請求項３】
封緘リングの帯体の切断防止部は、凹部であり、
成形金型のキャビティの成形部は、切断防止部の凹部に対応する凸部であることを特徴とする請求項１または２記載の封緘付きネジキャップの成形金型。
【請求項４】
封緘リングの帯体の切断防止部は、凸部であり、
成形金型のキャビティの成形部は、切断防止部の凸部に対応する凹部であることを特徴とする請求項１または２記載の封緘付きネジキャップの成形金型。
【請求項５】
キャップ本体は、外周壁の下端部の所定の箇所に複数の係止凹部を有し、
封緘リングは、帯体の上面の所定の箇所に係止凹部に係合する複数の係止凸部を有していることを特徴とする請求項１〜４のいずれかに記載の封緘付きネジキャップの成形金型。
【請求項６】
キャップ本体の外周壁の下面と封緘リングの帯体の上面とを連設する弱化片は、
帯体の開蓋方向に対して反対側の端部側が、他の弱化片より太く比較的強固な連結弱化片となっていることを特徴とする請求項１〜５のいずれかに記載の封緘付きネジキャップの成形金型。
【請求項７】
封緘リングのスリットは、変形スリットであり、
帯体の端部は、変形スリットを挟んで、開蓋方向に対して反対側の端部の上部から延びる上部帯体端部と、開蓋方向の端部の下部から延びる下部帯体端部とを有し、
帯体は、開蓋方向に対して反対側の端部と下部帯体端部の先端の内側に、両端部を連設する破断可能な弱化部を有していることを特徴とする請求項１〜６のいずれかに記載の封緘付きネジキャップの成形金型。
【発明の詳細な説明】
【技術分野】
【０００１】
本発明は、ネジキャップの成形金型、とくに不正を防止するための封緘リングを具えた封緘付きネジキャップの成形金型に関するものである。
【背景技術】
【０００２】
ピルファープルーフ機能を有するキャップとして、容器本体の口筒部外周に螺合するキャップ本体の下端に、複数の細い接続片を介して、口筒部外周の係止部に抜け出し不能に係止する封緘リングを連結して構成され、開蓋時のキャップの開蓋操作により接続片を破断させて、口筒部の下部に残る封緘リングと、開蓋されるキャップ本体とに分離し、これによりキャップが開蓋されたことを判別できるようにした不正開封を防止する封緘付きキャップは従来より広く使用されている。
【０００３】
また、封緘付きキャップと容器本体とを構成する材質が異なる場合、廃棄物のリサイクル利用の観点から、口筒部に残った封緘リングを外して分別廃棄する必要があるので、封緘リングの一部にスリットを設け、該スリットのリングの端部を切断可能な連結部で連結し、開蓋時のキャップの開蓋操作により、封緘リングの連結部を切断し、封緘リング自体をキャップ本体とともに容器本体の口筒部から外せるようにした不正開封を防止する封緘付きキャップは、従来より知られている（例えば、特許文献１参照）。
【先行技術文献】
【特許文献】
【０００４】
【特許文献１】特開２００４−１８２８号公報
【発明の概要】
【発明が解決しようとする課題】
【０００５】
封緘付きキャップを成形する際には、ネジキャップの外周を成形するキャビティとネジキャップの外周下面を形成する下部キャビティ、ネジキャップの内周を成形するコアとを具え、ネジキャップを成形する空間を形成した成形金型に、溶融樹脂を流し込み、次に、樹脂が一定温度に冷却され、固化してきたら、まず、キャビティを抜き取った後、下部キャビティを上昇させ、ネジキャップ自体をコアから抜き取り、ネジキャップを成形している。
【０００６】
しかしながら、上記特許文献１記載の封緘付きキャップでは、成形時のコアから抜き取る際に、無理抜きとなり、封緘リングを外側に押し広げるとともに、下方に引っ張りながら上昇することにより、封緘リングのスリットの間隔を広げ、連結部を切断して、成型時に不良品となるという問題があった。
【０００７】
本発明は、上記問題を解決することを課題とし、開蓋時のキャップの開蓋操作により、キャップが開蓋されたことを判別でき、構成する材質が異なるキャップと容器本体とを簡単かつ確実に分別廃棄できるようにするとともに、射出成形時の成形金型のコアからキャップを抜き取る際に、封緘リングのスリットの間隔を広げることを防止し、成型時に不良品を出さないようにした封緘付きネジキャップの成形金型を提供することを目的とする。
【課題を解決するための手段】
【０００８】
本発明は、上記課題を解決するため、封緘付きネジキャップの成形金型として、容器本体の口筒部に螺着される合成樹脂製の封緘付きネジキャップの成形金型であって、ネジキャップは、キャップ本体と、キャップ本体の下端に連設され、リング状に形成された封緘リングとからなり、キャップ本体は、頂壁と、外周壁とからなり、封緘リングは、所定のスリットを設けた帯体と、帯体の端部間のスリット側面の内側を連設する破断可能な弱化部とからなり、帯体の外周の両端部の近傍には、それぞれ凹部または凸部からなる切断防止部を有し、帯体の内周下部には、閉蓋時に容器本体の口筒部外周下部と係合する複数の係止爪片を有し、キャップ本体の外周壁の下面と封緘リングの上面とは、破断可能な弱化片を有し、成形金型は、ネジキャップの外周を成形するキャビティと、ネジキャップの内周を成形するコアとを具え、成形金型のキャビティは、内方面に、封緘リングの切断防止部を形成するそれぞれ凸部または凹部からなる成形部を有することを特徴とする構成を採用する。
【０００９】
成形金型の実施例として、成形金型のキャビティは、キャップ本体の外周を成形する上部キャビティと、キャップ本体の外周下端部と封緘リングの外周およびキャップ本体と封緘リングとの間を成形する左右に開閉可能な中部スライドキャビティと、封緘リングの下面を形成する下部キャビティとからなり、中部スライドキャビティの下部には、封緘リングの帯体を形成する部分の切断防止部の近傍に凹設された係合凹部を有し、下部キャビティの上面には、中部スライドキャビティの係合凹部に係合する係合凸部を有し、係合凸部の内方面は、封緘リングの帯体の切断防止部を形成する成形部を有することを特徴とする構成を採用する。
【００１０】
封緘リングと成形金型の実施例として、封緘リングの帯体の切断防止部は、凹部であり、成形金型のキャビティの成形部は、切断防止部の凹部に対応する凸部であることを特徴とする構成、または、封緘リングの帯体の切断防止部は、凸部であり、成形金型のキャビティの成形部は、切断防止部の凸部に対応する凹部であることを特徴とする構成を採用する。
【００１１】
キャップ本体と封緘リングの実施例として、キャップ本体は、外周壁の下端部の所定の箇所に複数の係止凹部を有し、封緘リングは、帯体の上面の所定の箇所に係止凹部に係合する複数の係止凸部を有していることを特徴とする構成、または、キャップ本体の外周壁の下面と封緘リングの帯体の上面とを連設する弱化片は、帯体の開蓋方向に対して反対側の端部側が、他の弱化片より太く比較的強固な連結弱化片となっていることを特徴とする構成を採用する。
【００１２】
封緘リングの実施例として、封緘リングのスリットは、変形スリットであり、帯体の端部は、変形スリットを挟んで、開蓋方向に対して反対側の端部の上部から延びる上部帯体端部と、開蓋方向の端部の下部から延びる下部帯体端部とを有し、帯体は、開蓋方向に対して反対側の端部と下部帯体端部の先端の内側に、両端部を連設する破断可能な弱化部を有していることを特徴とする構成を採用する。
【発明の効果】
【００１３】
本発明の封緘付きネジキャップの成形金型は、ネジキャップの封緘リングが、所定のスリットを設けた帯体と、帯体の端部間のスリット側面の内側を連設する破断可能な弱化部とからなり、帯体の外周の両端部の近傍には、それぞれ凹部または凸部からなる切断防止部を有し、帯体の内周下部には、閉蓋時に容器本体の口筒部外周下部と係合する複数の係止爪片を有し、キャップ本体の外周壁の下面と封緘リングの上面とは、破断可能な弱化片を有し、成形金型は、ネジキャップの外周を成形するキャビティと、ネジキャップの内周を成形するコアとを具え、成形金型のキャビティは、内方面に、封緘リングの切断防止部を形成するそれぞれ凸部または凹部からなる成形部を有し、ネジキャップ成形時に、キャビティの成形部が封緘リングの切断防止部およびその近傍と係合して、封緘リングの帯体の両端部の近傍を固定することにより、コアからネジキャップを抜き取る際に、封緘リングのスリットの間隔を広げることを防止し、成型時に不良品を出さないようにすることができる。
【００１４】
また、本発明の成形金型による封緘付きネジキャップは、開蓋時のキャップの回転により、封緘リングの帯体の両端部を連結する弱化部が切断されるとともに、キャップ本体と封緘リングを連結している弱化片を切断していき、帯体が帯状となり、容器本体からキャップを外すことができる。
キャップのキャップ本体と封緘リングとを連設する弱化片と、封緘リングの弱化部とが切断されると、その跡が残るので、キャップの不正開封を確認することができる。
【００１５】
さらに、キャップ本体に封緘リングが連設されたままであるので、再び閉蓋する際に、封緘リングが閉蓋の妨げとなる。
開蓋時に、封緘リングがキャップ本体に連設したままで容器本体から外すことができるので、容器使用後に、構成する材質が異なる容器本体とキャップを簡単に分別廃棄することができる。
【図面の簡単な説明】
【００１６】
【図１】本願発明の第１実施例の封緘付きネジキャップと、該ネジキャップを成形する成形金型の説明図で、（ａ）は封緘付きネジキャップと成形金型の断面正面図、（ｂ）は封緘付きネジキャップの正面図である。
【図２】封緘付きネジキャップの説明図で、（ａ）は断面側面図、（ｂ）は封緘帯の下面図である。
【図３】成形金型の説明図で、（ａ）は中部スライドキャビティの下面図、（ｂ）は下部キャビティの上面図である。
【図４】本願発明の第２実施例の封緘付きネジキャップと、該ネジキャップを成形する成形金型の説明図で、（ａ）は封緘付きネジキャップと成形金型の断面正面図、（ｂ）は封緘付きネジキャップの正面図である。
【図５】封緘付きネジキャップの説明図で、（ａ）は断面側面図、（ｂ）は封緘帯の下面図である。
【図６】成形金型の説明図で、（ａ）は中部スライドキャビティの下面図、（ｂ）は下部キャビティの上面図である。
【図７】本願発明の第３実施例の封緘付きネジキャップと、該ネジキャップを成形する成形金型の説明図で、（ａ）は封緘付きネジキャップと成形金型の断面正面図、（ｂ）は封緘付きネジキャップの正面図である。
【図８】封緘付きネジキャップの説明図で、（ａ）は断面側面図、（ｂ）は封緘帯の下面図である。
【図９】成形金型の説明図で、（ａ）は中部スライドキャビティの下面図、（ｂ）は下部キャビティの上面図である。
【図１０】本願発明の第４実施例の封緘付きネジキャップと、該ネジキャップを成形する成形金型の説明図で、（ａ）は封緘付きネジキャップと成形金型の断面正面図、（ｂ）は封緘付きネジキャップの正面図である。
【図１１】封緘付きネジキャップの説明図で、（ａ）は断面側面図、（ｂ）は封緘帯の下面図である。
【図１２】成形金型の説明図で、（ａ）は中部スライドキャビティの下面図、（ｂ）は下部キャビティの上面図である。
【発明を実施するための形態】
【００１７】
次に、本発明の封緘付きネジキャップの成形金型について、実施例をあげ、図面を参照して説明する。  
【実施例１】
【００１８】
図１において、Ａは容器本体の口筒部に螺着される合成樹脂製の封緘付きのネジキャップ、ＢはネジキャップＡを成形する成形金型である。
また、図２において、ＣはネジキャップＡを螺着する容器本体であり、容器本体Ｃの口筒部には、上部に、ネジ１が螺設され、中程から下方に向かって他の外周より縮径される係合凹部２が形成されている。
【００１９】
ネジキャップＡは、図１、２に示すように、キャップ本体Ａ１と、キャップ本体Ａ１の下端に連設される封緘リングＡ２とからなっている。  
【００２０】
キャップ本体Ａ１は、頂壁５と外周壁６とからなり、外周壁６の内周の中央部には、容器本体Ｃの口筒部のネジ１に螺合するネジ７が突設され、外周壁６の下端部には、所定の箇所に係止凹部８が複数配設されている。
また、外周壁６の外周には、滑り止めのために、ローレット等が設けられている。
【００２１】
封緘リングＡ２は、所定のスリット１０を設けて円状に形成した帯体１１と、帯体１１の端部１１ａ、１１ｂ間のスリット１０側面の内側下端部を連設する破断可能な弱化部１２とによりリング状に形成されている。
帯体１１の端部１１ａは、スリット１０を挟んで、開蓋方向に対して反対側にあり、端部１１ｂは、開蓋方向にある。
【００２２】
帯体１１の外周の端部１１ａおよび端部１１ｂの近傍には、図１に示すように、それぞれ切断防止凹部１３が成形金型Ｂにより形成されている。
【００２３】
帯体１１の内周には、図１に示すように、ネジキャップＡの成型時に、内方下向きに傾斜して延びる係止爪片１４が、複数形成されている。
また、係止爪片１４は、周知のものと同様に、成形後の工程により、図２に示すように、内方上向きに傾斜して延び、閉蓋時に容器本体Ｃの口筒部の係合凹部２と係合するように成形される。
【００２４】
帯体１１の上面には、所定の箇所に、キャップ本体Ａ１の係止凹部８に係合する係止凸部１５が複数配設されている。
【００２５】
キャップ本体Ａ１の係止凹部８およびそれに係合する係止凸部１５は、封緘リングＡ２の帯体１１の端部１１ａと端部１１ｂの近傍から離れた箇所に、少なくとも二つは配設されている。
【００２６】
キャップ本体Ａ１の外周壁６と封緘リングＡ２は、外周壁６の下面と帯体１１の上面とを、端部１１ｂと端部１１ａの近傍を残すとともに、係止凹部８およびそれに係合する係止凸部１５の近傍の箇所を残して、複数配設された破断可能な弱化片１６と、封緘リングＡ２の帯体１１の端部１１ａ付近に配設され、弱化片１６より太く比較的強固な連結弱化片１７とにより連結されている。
【００２７】
図１、３に示すように、成形金型Ｂは、上部キャビティＢ１と中部スライドキャビティＢ２と下部キャビティＢ３、および、コアＢ４と筒状コアＢ５で構成されており、ネジキャップＡを成形する空間を形成している。
また、成形金型Ｂには、溶融樹脂を導入するためのスプルーと通路が形成されている。
【００２８】
上部キャビティＢ１はネジキャップＡのキャップ本体Ａ１の外周を成形するようになっている。
【００２９】
中部スライドキャビティＢ２は、上面が上部キャビティＢ１下面と係合するとともに、左右に開閉可能な金型であり、ネジキャップＡのキャップ本体Ａ１の外周下端部と封緘リングＡ２の外周、および、キャップ本体Ａ１と封緘リングＡ２との間と、封緘リングＡ２の帯体１１のスリット１０を形成するようになっている。
【００３０】
中部スライドキャビティＢ２の下部の封緘リングＡ２の帯体１１を形成する部分において、端部１１ａと端部１１ｂの切断防止凹部１３の近傍に下端面から凹設された係合凹部２０が形成されている。
【００３１】
下部キャビティＢ３は、上面が中部スライドキャビティＢ２下面と係合するとともに、筒状コアＢ５が内周で上下方向に移動可能な金型であり、ネジキャップＡの封緘リングＡ２の帯体１１の下面を形成するようになっている。
【００３２】
下部キャビティＢ３の上面には、中部スライドキャビティＢ２の係合凹部２０に係合する係合凸部２５がそれぞれの位置に配設されている。
【００３３】
それぞれの係合凸部２５の内方面には、封緘リングＡ２の切断防止凹部１３を形成する成形凸部２６が突設されている。
係合凸部２５の内面は、切断防止凹部１３および封緘リングＡ２の帯体１１の端部１１ａと端部１１ｂの切断防止凹部１３の近傍を形成するようになっている。
【００３４】
コアＢ４は、ネジキャップＡのキャップ本体Ａ１内周全体と、封緘リングＡ２の帯体１１上部内周および係止爪片１４内面を形成するようになっている。
【００３５】
筒状コアＢ５は、コアＢ４の外周で上下方向に移動可能であるとともに、下部キャビティＢ３内周で上下方向に移動可能な金型であり、ネジキャップＡの封緘リングＡ２の帯体１１下部内周および係止爪片１４外面を形成するようになっている。
【００３６】
次に、本実施例の成形時の作用効果について説明する。
まず、成形金型Ｂによって形成される空間に、上部キャビティＢ１に設けたスプルーより溶融樹脂を流し込み、ネジキャップＡを成形する。
【００３７】
樹脂が一定の温度に冷却され、固化してきたら、まず、上部キャビティＢ１を抜き取り、次いで、中部スライドキャビティＢ２を左右に開く。
【００３８】
次に、筒状コアＢ５を抜き取り、次いで、下部キャビティＢ３を上昇させることで、ネジキャップＡ自体を上昇させ、コアＢ４から抜き取る。
【００３９】
ネジキャップＡをコアＢ４から抜き取る際には、無理抜きとなるため、ネジキャップＡ自体、とくに、封緘リングＡ２が外方へ広げられるが、本実施例では、下部キャビティＢ３のそれぞれの係合凸部２５の内面および成形凸部２６が、封緘リングＡ２の帯体１１の端部１１ａと端部１１ｂの切断防止凹部１３の近傍および切断防止凹部１３と係合して押さえ付け、封緘リングＡ２の帯体１１の端部１１ａと端部１１ｂの近傍を固定することにより、封緘リングＡ２の他の部分が外方へ広がり、変形するのに対して、帯体１１の端部１１ａと端部１１ｂとのスリット１０を広げることを防止し、弱化部１２を切断してしまうことを防止することができる。
【００４０】
最後に、ネジキャップＡを下部キャビティＢ３から外すと、ネジキャップＡが成形される。
【００４１】
帯体１１の係止爪片１４は、筒状コアＢ５およびコアＢ４を抜いた時点では、図１に示すように、内方下向きに成形されるが、図２に示すように、周知のものと同様に、成形後の工程で係止爪片１４を内方上向きに変形させる。
【００４２】
本願発明は、下部キャビティＢ３のそれぞれの係合凸部２５の内方面により、封緘リングＡ２の帯体１１の端部１１ａと端部１１ｂの近傍を固定するので、ネジキャップＡをコアＢ４から抜き取る際に、帯体１１の弱化部１２の切断を防止することができ、成形時に、ネジキャップＡの封緘リングＡ２の帯体１１が切れた不良品を出すことを防止することができる。
【００４３】
次に、本実施例の封緘付きネジキャップの使用態様と作用効果について説明する。
まず、ネジキャップＡを螺着方向に回転させ、容器本体Ｃの口筒部に装着し、図２に示すように、閉蓋する。
ネジキャップＡを回転させ、容器本体Ｃの口筒部に対して降下させていく際には、キャップ本体Ａ１の外周壁６に設けた係止凹部８と、封緘リングＡ２の帯体１１に設けた係止凸部１５とが係合することによって、キャップ本体Ａ１の下降に対して封緘リングＡ２を下方に押すとともに、キャップ本体Ａ１の回転力で封緘リングＡ２全体を回転させる。
【００４４】
キャップ本体Ａ１の回転に対して、封緘リングＡ２が一緒に回転することにより、キャップ本体Ａ１と封緘リングＡ２とを連設する弱化片１６および連結弱化片１７と、帯体１１を連設する弱化部１２に負担を掛けないようにすることができ、最初の閉蓋時に、弱化片１６および連結弱化片１７と弱化部１２が切れてしまうことを防止することができる。
【００４５】
ネジキャップＡを開蓋する際には、キャップ本体Ａ１の回転による上昇に対して、容器本体Ｃの係合凹部２の上端面と、封緘リングＡ２の係止爪片１４の当接により、封緘リングＡ２の上昇が阻止されるとともに、封緘リングＡ２の回転が阻止されることにより、キャップ本体Ａ１と封緘リングＡ２が引き離され、キャップ本体Ａ１と封緘リングＡ２とを連設する弱化片１６を切断していく。
【００４６】
また、キャップ本体Ａ１が上昇していくと、キャップ本体Ａ１と封緘リングＡ２とを連設する連結弱化片１７は、弱化片１６に比べ強固であるので、封緘リングＡ２の帯体１１の端部１１ａ付近がキャップ本体Ａ１とともに上昇し、帯体１１の端部１１ａと端部１１ｂとの高さの差が大きくなり、帯体１１の端部１１ａと端部１１ｂとを連設する弱化部１２が切断される。
【００４７】
弱化部１２が切断されることによって、封緘リングＡ２の帯体１１の保形性が弱くなり、端部１１ｂ側から、係止爪片１４の先端を支点として、下側が外側に向かって捻れていき、係止爪片１４と容器本体Ｃの係合凹部２の上端面との係合が外され、帯体１１は、端部１１ａ付近が上方、端部１１ｂ側が下方となるように変形される。
【００４８】
さらに、キャップ本体Ａ１の上昇が続くと、封緘リングＡ２はキャップ本体Ａ１とともに完全に容器本体Ｃの口筒部から外されて上昇し、ネジキャップＡは容器本体Ｃから開蓋される。
【００４９】
本実施例の封緘付きネジキャップは、最初の開蓋で、ネジキャップＡのキャップ本体Ａ１と封緘リングＡ２とを連設する弱化片１６と、封緘リングＡ２の弱化部１２とが切断されるので、不正開封を視認することができる。
また、最初の開蓋で、封緘リングＡ２の片方の端部側が下がった帯状となり、再び閉蓋しようとしても、閉蓋の妨げとなる。
【００５０】
キャップ本体Ａ１を容器本体Ｃの口筒部に閉蓋する際には、封緘リングＡ２の帯体１１の端部１１ｂに指を掛け、キャップ本体Ａ１に対して引っ張り、連結弱化片１７を切断して封緘リングＡ２をキャップ本体Ａ１から外して使用する。
【００５１】
連結弱化片１７は、最初の開蓋時に、下方に引っ張られるので、元の状態に比べ、連結弱化片１７自体の強度が低下しているので、簡単に切り離すことができる。
【００５２】
本実施例の封緘付きネジキャップは、キャップ本体Ａ１から封緘リングＡ２を取り外した後に閉蓋すると、キャップとしての外観が変わるとともに、キャップ本体Ａ１の外周壁６の下端に弱化片１６と連結弱化片１７の切断跡が残るので、不正開封を確認することができる。
【００５３】
また、封緘リングＡ２が、キャップ本体Ａ１とともに容器本体Ｃから外されるので、封緘リングＡ２が容器本体Ｃに残らないので、容器使用後に、構成する材質が異なる容器本体ＣとネジキャップＡを簡単に分別廃棄することができる。                   
【００５４】
上記実施例では、封緘リングＡ２の係止爪片１４を帯体１１の内周に複数形成したが、特に、帯体１１の両端部１１ａ、１１ｂの付近には配設しないようにすることによって、ネジキャップＡを容器本体Ｃに装着する際に、係止爪片１４が容器本体Ａの口筒部に当接し、封緘リングＡ２を僅かに広げようとするが、封緘リングＡ２の両端部１１ａ、１１ｂの付近は変形せず、弱化部１２の破断を防止することができる。
【実施例２】
【００５５】
次に、第１実施例の封緘リングの構成を変えた第２実施例について、説明する。
本実施例の第１実施例と同一の構成部分には、同一の符号を付して図示して、詳しい説明を省略し、相違点を中心に説明する。
【００５６】
図４において、Ａａは容器本体Ｃの口筒部に螺着される合成樹脂製の封緘付きのネジキャップ、ＢａはネジキャップＡａを成形する成形金型である。
【００５７】
ネジキャップＡａは、図４、５に示すように、キャップ本体Ａａ１と、キャップ本体Ａａ１の下端に連設される封緘リングＡａ２とからなっている。  
【００５８】
キャップ本体Ａａ１は、頂壁５と外周壁６とからなり、外周壁６の内周の中央部には、容器本体Ｃの口筒部のネジ１に螺合するネジ７が突設されている。
【００５９】
封緘リングＡａ２は、横方向に延びる中央部とその両端から上下いずれかの方向に延びる形状の変形スリット３０を設けて円状に形成した帯体３１によりリング状に形成されている。
【００６０】
帯体３１の端部は、変形スリット３０を挟んで、開蓋方向に対して反対側の端部３１ａと、端部３１ａの上部から横方向に延びる上部帯体端部３２と、開蓋方向の端部３１ｂと、端部３１ｂの下部から横方向に延びる下部帯体端部３３とから形成されており、帯体３１の端部３１ａと下部帯体端部３３の先端の内側下端部には、連設する破断可能な弱化部１２が形成されている。
【００６１】
帯体３１の外周の端部３１ａおよび下部帯体端部３３の先端の近傍には、それぞれ切断防止凹部１３が成形金型Ｂａにより形成されている。
【００６２】
帯体３１の内周下部には、係止爪片１４が下部帯体端部３３も含めて複数配設されている。
また、実施例１と同様に、係止爪片１４を帯体３１の両端部３１ａ、３１ｂの付近には配設しないようにしてもよい。
【００６３】
キャップ本体Ａａ１の外周壁６と封緘リングＡａ２は、複数配設された破断可能な弱化片１６により連結されている。
【００６４】
図４、６に示すように、成形金型Ｂａは、上部キャビティＢ１と中部スライドキャビティＢａ２と下部キャビティＢ３、および、コアＢ４と筒状コアＢ５で構成されており、ネジキャップＡａを成形する空間を形成している。
また、成形金型Ｂａには、溶融樹脂を導入するためのスプルーと、通路が形成されている。
【００６５】
中部スライドキャビティＢａ２は、上面が上部キャビティＢ１下面と係合するとともに、左右に開閉可能な金型であり、ネジキャップＡａのキャップ本体Ａａ１の外周下端部と封緘リングＡａ２の外周、および、キャップ本体Ａａ１と封緘リングＡａ２との間と、封緘リングＡａ２の帯体３１の変形スリット３０を形成するようになっている。
【００６６】
中部スライドキャビティＢａ２の下部の封緘リングＡａ２の帯体３１を形成する部分において、端部３１ａと下部帯体端部３３の切断防止凹部１３の近傍に、下端面から凹設された係合凹部２０が形成されている。
【００６７】
下部キャビティＢ３は、上面が中部スライドキャビティＢａ２下面と係合するとともに、筒状コアＢ５が内周で上下方向に移動可能な金型であり、ネジキャップＡａの封緘リングＡａ２の帯体３１の下面を形成するようになっている。
【００６８】
下部キャビティＢ３の上面には、中部スライドキャビティＢａ２の係合凹部２０に係合するとともに、内方面に封緘リングＡａ２の切断防止凹部１３を形成する成形凸部２６が突設されている係合凸部２５がそれぞれの位置に配設されている。
係合凸部２５の内面は、切断防止凹部１３および封緘リングＡａ２の帯体３１の端部３１ａと下部帯体端部３３の切断防止凹部１３の近傍を形成するようになっている。
【００６９】
次に、本実施例の成形時の作用効果について説明する。
まず、成形金型Ｂａによって形成される空間に、上部キャビティＢ１に設けたスプルーより溶融樹脂を流し込み、ネジキャップＡａを成形する。
【００７０】
樹脂が一定の温度に冷却され、固化してきたら、まず、上部キャビティＢ１を抜き取り、次いで、中部スライドキャビティＢａ２を左右に開く。
【００７１】
次に、筒状コアＢ５を抜き取り、次いで、下部キャビティＢ３を上昇させることで、ネジキャップＡａ自体を上昇させ、コアＢ４から抜き取る。
【００７２】
ネジキャップＡａをコアＢ４から抜き取る際には、無理抜きとなるため、ネジキャップＡａ自体、とくに、封緘リングＡａ２が外方へ広げられるが、本実施例では、下部キャビティＢ３のそれぞれの係合凸部２５の内面および成形凸部２６が、封緘リングＡａ２の帯体３１の端部３１ａと下部帯体端部３３の切断防止凹部１３の近傍および切断防止凹部１３と係合して押さえ付け、封緘リングＡａ２の帯体３１の端部３１ａと下部帯体端部３３の近傍を固定することにより、封緘リングＡａ２の他の部分が外方へ広がり、変形するのに対して、帯体３１の端部３１ａと下部帯体端部３３との変形スリット３０を広げることを防止し、弱化部１２を切断してしまうことを防止することができる。
その他の成形時の作用効果は、実施例１と同じである。
【００７３】
次に、本実施例の封緘付きネジキャップの使用態様と作用効果について説明する。
ネジキャップＡａを開蓋する際には、キャップ本体Ａａ１の回転による上昇に対して、容器本体Ｃの係合凹部２の上端面と、封緘リングＡａ２の係止爪片１４の当接により、封緘リングＡａ２の上昇が阻止されながらキャップ本体Ａａ１が上昇しようとする。
【００７４】
封緘リングＡａ２の係止爪片１４の当接により、キャップ本体Ａａ１と封緘リングＡａ２が引き離されようとすると、まず、上部が他の下面と連結していない帯体３１の下部帯体端部３３が他の上昇に伴い、上部帯体端部３２から離され、変形していくとともに、キャップ本体Ａａ１と封緘リングＡａ２が引き離され、キャップ本体Ａａ１と封緘リングＡａ２とを連設する弱化片１６が端部３１ｂ側から切断されていく。
【００７５】
また、帯体３１の上部帯体端部３２には、係止爪片１４が配設されていないので、上部帯体端部３２およびその付近はキャップ本体Ａａ１とともに上昇し、帯体３１の端部３１ａと下部帯体端部３３の先端との高さの差が大きくなり、連設する弱化部１２が切断される。
【００７６】
弱化部１２が切断されることによって、封緘リングＡａ２の帯体３１の保形性が弱くなり、端部３１ｂ側から係止爪片１４の先端を支点として、下側が外側に向かって捻れ、係止爪片１４と容器本体Ｃの係合凹部２の上端面との係合が外され、帯体３１は、上部帯体端部３２および端部３１ａ付近が上方、端部３１ｂ側が下方となるように変形していく。
【００７７】
さらに、キャップ本体Ａａ１の上昇が続くと、封緘リングＡａ２は、キャップ本体Ａａ１に対して上部帯体端部３２付近を弱化片１６を介して連設したまま、完全に容器本体Ｃの口筒部から外されて上昇し、ネジキャップＡａは容器本体Ｃから開蓋される。
【００７８】
キャップ本体Ａａ１を容器本体Ｃの口筒部に閉蓋する際には、封緘リングＡａ２の帯体３１の端部３１ｂ側に指を掛け、キャップ本体Ａａ１に対して引っ張り、残った弱化片１６を切断して封緘リングＡａ２をキャップ本体Ａａ１から外して使用する。
その他の作用効果は、実施例１と同じである。
【実施例３】
【００７９】
次に、第１実施例の封緘リングと成形金型の構成を変えた第３実施例について、説明する。
本実施例の第１実施例と同一の構成部分には、同一の符号を付して図示して、詳しい説明を省略し、相違点を中心に説明する。
【００８０】
図７において、Ａｂは容器本体Ｃの口筒部に螺着される合成樹脂製の封緘付きのネジキャップ、ＢｂはネジキャップＡｂを成形する成形金型である。
【００８１】
ネジキャップＡｂは、図７、８に示すように、キャップ本体Ａｂ１と、キャップ本体Ａｂ１の下端に連設される封緘リングＡｂ２とからなっている。  
【００８２】
封緘リングＡｂ２の帯体１１の外周の端部１１ａおよび端部１１ｂの近傍には、それぞれ切断防止凸部３５が成形金型Ｂｂにより形成される。
【００８３】
図７、９に示すように、成形金型Ｂｂは、上部キャビティＢ１と中部スライドキャビティＢ２と下部キャビティＢｂ３、および、コアＢ４と筒状コアＢ５で構成されており、ネジキャップＡｂを成形する空間を形成している。
また、成形金型Ｂｂには、溶融樹脂を導入するためのスプルーと通路が形成されている。
【００８４】
下部キャビティＢｂ３の上面には、中部スライドキャビティＢ２の係合凹部２０に係合する係合凸部４０がそれぞれの位置に配設されている。
【００８５】
それぞれの係合凸部４０の内方面には、封緘リングＡｂ２の切断防止凸部３５を形成する成形凹部４１が凹設されている。
係合凸部４０の内面は、切断防止凸部３５および封緘リングＡｂ２の帯体１１の端部１１ａと端部１１ｂの切断防止凸部３５の近傍を形成するようになっている。
【００８６】
次に、本実施例の成形時の作用効果について説明する。
まず、成形金型Ｂｂによって形成される空間に、上部キャビティＢ１に設けたスプルーより溶融樹脂を流し込み、ネジキャップＡｂを成形する。
【００８７】
下部キャビティＢｂ３を上昇させることで、ネジキャップＡｂ自体を上昇させ、コアＢ４から抜き取る際、本実施例では、下部キャビティＢｂ３のそれぞれの係合凸部４０の内面および成形凹部４１が、封緘リングＡｂ２の帯体１１の端部１１ａと端部１１ｂの切断防止凸部３５の近傍および切断防止凸部３５と係合して押さえ付け、封緘リングＡｂ２の帯体１１の端部１１ａと端部１１ｂの近傍を固定することにより、封緘リングＡｂ２の他の部分が外方へ広がり、変形するのに対して、帯体１１の端部１１ａと端部１１ｂとのスリット１０を広げることを防止し、弱化部１２を切断してしまうことを防止することができる。
その他の成形時の作用効果は、実施例１と同じである。
また、ネジキャップの使用態様と作用効果は、実施例１と同じである。
【実施例４】
【００８８】
次に、第２実施例の封緘リングと成形金型の構成を第３実施例の構成に基づき変更した第４実施例について、説明する。
本実施例の第２実施例および第３実施例と同一の構成部分には、同一の符号を付して図示して、詳しい説明を省略し、相違点を中心に説明する。
【００８９】
図１０において、Ａｃは容器本体Ｃの口筒部に螺着される合成樹脂製の封緘付きのネジキャップ、ＢｃはネジキャップＡｃを成形する成形金型である。
【００９０】
ネジキャップＡｃは、図１０、１１に示すように、キャップ本体Ａｃ１と、キャップ本体Ａｃ１の下端に連設される封緘リングＡｃ２とからなっている。  
【００９１】
封緘リングＡｃ２の帯体３１の外周の端部３１ａおよび下部帯体端部３３の先端の近傍には、それぞれ切断防止凸部３５が成形金型Ｂｃにより形成されている。
【００９２】
図１０、１２に示すように、成形金型Ｂｃは、上部キャビティＢ１と中部スライドキャビティＢｃ２と下部キャビティＢｃ３、および、コアＢ４と筒状コアＢ５で構成されており、ネジキャップＡｃを成形する空間を形成している。
また、成形金型Ｂｃには、溶融樹脂を導入するためのスプルーと通路が、形成されている。
【００９３】
下部キャビティＢｃ３の上面には、中部スライドキャビティＢｃ２の下端面に設けた係合凹部２０に係合する係合凸部４０がそれぞれの位置に配設されている。
【００９４】
それぞれの係合凸部４０の内方面には、封緘リングＡｃ２の切断防止凸部３５を形成する成形凹部４１が凹設されている。
係合凸部４０の内面は、切断防止凸部３５および封緘リングＡｃ２の帯体３１の端部３１ａと下部帯体端部３３の切断防止凸部３５の近傍を形成するようになっている。
【００９５】
次に、本実施例の成形時の作用効果について説明する。
まず、成形金型Ｂｃによって形成される空間に、上部キャビティＢ１に設けたスプルーより溶融樹脂を流し込み、ネジキャップＡｃを成形する。
【００９６】
下部キャビティＢｃ３を上昇させることで、ネジキャップＡｃ自体を上昇させ、コアＢ４から抜き取る際、本実施例では、下部キャビティＢｃ３のそれぞれの係合凸部４０の内面および成形凹部４１が、封緘リングＡｃ２の帯体３１の端部３１ａと下部帯体端部３３の切断防止凸部３５の近傍および切断防止凸部３５と係合するとともに、押さえ付け、封緘リングＡｃ２の帯体３１の端部３１ａと下部帯体端部３３の近傍を固定することにより、封緘リングＡｃ２の他の部分が外方へ広がり、変形するのに対して、帯体３１の端部３１ａと下部帯体端部３３との変形スリット３０を広げることを防止し、弱化部１２を切断してしまうことを防止することができる。
その他の成形時の作用効果は、実施例２と同じである。
また、ネジキャップの使用態様と作用効果は、実施例２と同じである。
【００９７】
前記各実施例では、ネジキャップの封緘リングの帯体の間を、弱化部により連結されたスリットまたは変形スリットとしたが、ネジキャップの外周を成形する金型により、該スリット付近を固定させることにより、帯体のスリットに設けられ連結する弱化部を切断させないようにすることができるので、弱化部により連結されリング状に形成された帯体のスリットは、前記各実施例の形状に限定されない。
【００９８】
また、本願発明は、帯体を連結する弱化部を、成形時のコアからの無理抜きにより切断しないようにすることができるので、キャップ本体と封緘リングとの連結およびそれに伴う封緘リングの削除方法の構成は、どのようなものでも良く、前記各実施例のキャップ本体と封緘リングとの連結およびそれに伴う削除方法の構成に限定されない。
【産業上の利用可能性】
【００９９】
本発明の封緘付きネジキャップの成形金型は、成形時のコアから引き抜く際に、封緘リングの一部を切断してしまうことを防止でき、生産性を向上させることができ、また、ネジキャップとして、最初の開蓋時にキャップ本体と一緒に封緘リングが容器本体から確実に外されるので、キャップと容器本体とを分別廃棄することを簡単にできる封緘付きネジキャップの成形金型として広く利用することができる。
【符号の説明】
【０１００】
Ａ、Ａａ、Ａｂ、Ａｃ    ネジキャップ
Ａ１、Ａａ１、Ａｂ１、Ａｃ１  キャップ本体
Ａ２、Ａａ２、Ａｂ２、Ａｃ２   封緘リング
Ｂ、Ｂａ、Ｂｂ、Ｂｃ    成形金型
Ｂ１            上部キャビティ
Ｂ２、Ｂａ２、Ｂｃ２    中部スライドキャビティ
Ｂ３、Ｂｂ３、Ｂｃ３    下部キャビティ
Ｂ４            コア
Ｂ５            筒状コア
Ｃ              容器本体
１、７          ネジ
２              係合凹部
５              頂壁
６              外周壁
８              係止凹部
１０            スリット
１１、３１      帯体
１１ａ、１１ｂ、３１ａ、３１ｂ  端部
１２            弱化部
１３            切断防止凹部
１４            係止爪片
１５            係止凸部
１６            弱化片
１７            連結弱化片
２０            係合凹部
２５、４０      係合凸部
２６            成形凸部
３０            変形スリット
３２            上部帯体端部
３３            下部帯体端部
３５            切断防止凸部
４１            成形凹部
【図１】
0005889011.tif 000002
【図２】
0005889011.tif 000003
【図３】
0005889011.tif 000004
【図４】
0005889011.tif 000005
【図５】
0005889011.tif 000006
【図６】
0005889011.tif 000007
【図７】
0005889011.tif 000008
【図８】
0005889011.tif 000009
【図９】
0005889011.tif 000010
【図１０】
0005889011.tif 000011
【図１１】
0005889011.tif 000012
【図１２】
0005889011.tif 000013